(57)【要約】ズーム機能とフォーカス機能をそれぞれ独立して有する拡大観察のできる内視鏡の対物レンズであり、広角端の画角（２ω）が１００°以上であり、物体側から順に、正の第１群Ｇ１、負の第２群Ｇ２、正の第３群Ｇ３を有し、第３群Ｇ３は、正の第３−１群Ｇ３１と正の第３−２群Ｇ３２からなり、少なくとも第２群Ｇ２中のレンズ群が移動し、（１）全系の焦点距離を変化する、（２）焦点距離の変化に伴う像位置の移動を補正する、第２群Ｇ２、第３群Ｇ３中の１つの群が作動距離（ＷＤ）が長い側から短い側に向かって像側に移動し、（３）作動距離の変化に伴う焦点位置の移動を補正する。【選択図】図１
2010137238.tif 000002
【特許請求の範囲】
【請求項１】
内視鏡の対物レンズであって、
広角端の画角（２ω）が１００°以上であり、
物体側から順に、正の第１群、負の第２群、正の第３群を有し、
第３群は、正の第３−１群と正の第３−２群からなり、
少なくとも第２群中のレンズ群が移動し、以下の（１）、（２）を行い、
（１）全系の焦点距離を変化する、
（２）焦点距離の変化に伴う像位置の移動を補正する、
第２群、第３群中の１つの群が作動距離（ＷＤ）が長い側から短い側に向かって像側に移動し、以下の（３）を行うことを特徴とする内視鏡の対物レンズ。
（３）作動距離の変化に伴う焦点位置の移動を補正する。
【請求項２】
第２群が明るさ絞りを有することを特徴とする請求項１記載の内視鏡の対物レンズ。
【請求項３】
以下の条件を満足することを特徴とする請求項１記載の内視鏡の対物レンズ。
０．４＜（Ｄ12t −Ｄ12w ）／ｆw ＜１．４    ・・・（１）
０．０２＜ΔDwd ／ｆw ＜０．４              ・・・（２）
０＜（ｒb ＋ｒa ）／（ｒb −ｒa ）＜２      ・・・（３）
−０．７＜１／βwd＜０．２                  ・・・（４）
ただし、
ｆw は広角端での全系の焦点距離であり、作動距離が遠方端での値である、
Ｄ12w は広角端での第１群と第２群の間隔、
Ｄ12t は望遠端での第１群と第２群の間隔、
ΔDwd は作動距離を遠方端から近傍端へ変化するときの移動群の移動量であり、像側へ移動する方向を＋符号とする，
ｒa は第１群の第１レンズの像側面の曲率半径、
ｒb は第１群の第２レンズの物体側面の曲率半径、
βwdは作動距離を変化するときの移動群の結像倍率であり、広角端かつ作動距離が遠方端での値、
である。
【請求項４】
内視鏡の対物レンズであって、
広角端の画角（２ω）が１００°以上であり、
物体側から順に、正の第１群、負の第２群、正の第３群を有し、
第２群が明るさ絞りを有し、
第３群は、正の第３−１群と正の第３−２群からなり、
少なくとも第２群中のレンズ群が移動し、以下の（１）、（２）を行い、
（１）全系の焦点距離を変化する、
（２）焦点距離の変化に伴う像位置の移動を補正する、
第２群、第３群中の１つの群が作動距離（ＷＤ）が長い側から短い側に向かって像側に移動し、以下の（３）を行うことを特徴とする内視鏡の対物レンズ。
（３）作動距離の変化に伴う焦点位置の移動を補正する、
さらに、以下の条件を満足することを特徴とする内視鏡の対物レンズ。
０．４＜（Ｄ12t −Ｄ12w ）／ｆw ＜１．４    ・・・（１）
０．０２＜ΔDwd ／ｆw ＜０．４              ・・・（２）
０＜（ｒb ＋ｒa ）／（ｒb −ｒa ）＜２      ・・・（３）
−０．７＜１／βwd＜０．２                  ・・・（４）
ただし、
ｆw は広角端での全系の焦点距離であり、作動距離が遠方端での値である、
Ｄ12w は広角端での第１群と第２群の間隔、
Ｄ12t は望遠端での第１群と第２群の間隔、
ΔDwd は作動距離を遠方端から近傍端へ変化するときの移動群の移動量であり、像側へ移動する方向を＋符号とする，
ｒa は第１群の第１レンズの像側面の曲率半径、
ｒb は第１群の第２レンズの物体側面の曲率半径、
βwdは作動距離を変化するときの移動群の結像倍率であり、広角端かつ作動距離が遠方端での値、
である。
【請求項５】
通常の遠方観察後、作動距離を長い側から短い側に変更し近傍での観察を行い、さらに作動距離を近傍に保ったまま全系の焦点距離を変化させ、より倍率の高い拡大観察を行うことができることを特徴とする請求項１から４の何れか１項記載の内視鏡の対物レンズ。
【請求項６】
広角側から望遠側に向かって、第２群が像側に移動し、
第３−１群が焦点距離の変化に伴う像位置の移動を補正するように第２群とは異なる軌跡で移動し、
作動距離（ＷＤ）が長い側から短い側に向かって第３−１群が像側に移動することを特徴とする請求項１から４の何れか１項記載の内視鏡の対物レンズ。
【請求項７】
第１群は、負の第１−１群と正の第１−２群からなり、
広角側から望遠側に向かって、第２群が像側に移動し、
第１−２群が焦点距離の変化に伴う像位置の移動を補正するように第２群とは異なる軌跡で移動し、
作動距離（ＷＤ）が長い側から短い側に向かって第３−１群が像側に移動することを特徴とする請求項１から４の何れか１項記載の内視鏡の対物レンズ。
【請求項８】
第１群は、負の第１−１群と正の第１−２群からなり、
広角側から望遠側に向かって、第１−２群が物体側に移動し、第２群が像側に移動し、
第３−１群が焦点距離の変化に伴う像位置の移動を補正するように第１−２群、第２群とは異なる軌跡で移動し、
作動距離（ＷＤ）が長い側から短い側に向かって第３−１群が像側に移動することを特徴とする請求項１から４の何れか１項記載の内視鏡の対物レンズ。
【請求項９】
第１群は、負の第１−１群と正の第１−２群からなり、
広角側から望遠側に向かって、第１−２群が物体側に移動し、
第２群が焦点距離の変化に伴う像位置の移動を補正するように第１−２群とは異なる軌跡で移動し、
作動距離（ＷＤ）が長い側から短い側に向かって第２群が像側に移動することを特徴とする請求項１から４の何れか１項記載の内視鏡の対物レンズ。
【請求項１０】
第２群は、負の第２−１群と負の第２−２群からなり、
広角側から望遠側に向かって、第２−１群が物体側に移動し、第２−２群が像側に移動し、
第３群が焦点距離の変化に伴う像位置の移動を補正するように第２−１群、第２−２群とは異なる軌跡で移動し、
作動距離（ＷＤ）が長い側から短い側に向かって第２−２群が像側に移動することを特徴とする請求項１、２又は４の何れか１項記載の内視鏡の対物レンズ。
【請求項１１】
第２群は、正の第２−１群と負の第２−２群からなり、
広角側から望遠側に向かって、第２−２群が像側に移動し、
第２−１群が焦点距離の変化に伴う像位置の移動を補正するように第２−２群とは異なる軌跡で移動し、
作動距離（ＷＤ）が長い側から短い側に向かって第２−２群が像側に移動することを特徴とする請求項１から４の何れか１項記載の内視鏡の対物レンズ。
【発明の詳細な説明】
【技術分野】
【０００１】
本発明は、内視鏡の対物レンズに関し、特に、通常の広角観察に加え拡大観察のできる内視鏡の対物レンズに関するものである。
【背景技術】
【０００２】
従来、内視鏡で用いられている変倍作用のある対物レンズには、以下に示すものがある。【０００３】
１）内視鏡本体を注目被写体に近づけて倍率を変えるものがあり、一般的である。このような作動距離（ＷＤ）変更による近接拡大の例として、特許文献１に示されたものがある。【０００４】
２）作動距離（ＷＤ）一定で変倍するものとしては、例えば特許文献２に示されたものがある。【０００５】
３）作動距離一定で変倍し、かつ、作動距離（ＷＤ）変更による近接拡大を行うものとしては、例えば特許文献３に示されたものがある。【０００６】
一方、内視鏡以外の分野で変倍作用を持つ機器としては、ビデオカメラが広く知られている。ビデオカメラ用対物レンズの例としては、特許文献４に示すものがある。【０００７】
また、光学的に変倍する以外の手段として、電子的に画像を拡大する電子拡大も広く知られている。
【先行技術文献】
【特許文献】
【０００８】
【特許文献１】特公昭６１−４４２８３号公報
【特許文献２】特開２００２−１４２８５号公報
【特許文献３】特開昭５８−１９３５１２号公報
【特許文献４】特開２０００−２０６４０７号公報
【発明の概要】
【発明が解決しようとする課題】
【０００９】
しかしながら、内視鏡に適した対物レンズで、ズーム機能とフォーカス機能をそれぞれ独立して所有しているものはない。特許文献１、特許文献２共簡易的な変倍機能であり、ズーム機能とフォーカス機能をそれぞれ独立して所有してはいない。【００１０】
特許文献１に記載のものは、変倍中に作動距離が変化することを近接拡大に利用したものであり、作動距離一定での変倍ができない。【００１１】
特許文献２に記載のものは、作動距離一定での変倍が可能であるが、作動距離変更による焦点合わせができない。さらに、広角側で明るさ絞りと第１群の間隔が大きく、第１レンズの外径が大きくなりやすく、内視鏡先端部の小型化に不利である。【００１２】
また、特許文献３に記載のものは、広角側の画角（２ω）が６０°ないし８０°程度であり、近年では内視鏡に不十分である。同様に特許文献４に記載のものは、ビデオカメラ用であり、広角側の画角（２ω）が５５°程度で内視鏡には不十分である。【００１３】
また、電子拡大は、表示画素数が少なくなるので画質劣化が免れない。【００１４】
なお、本発明では、ズームとフォーカスを以下のように定義する。【００１５】
ズームとは、物体から像面までの距離を一定に保ったまま全系の焦点距離を変化させ結像倍率を変えることを言う。例えば、内視鏡本体を被写体に対して固定したままで倍率を変えることである。【００１６】
フォーカスとは、作動距離（ＷＤ）の変化に伴う焦点位置の移動を補正し、一定に保つことを言う。例えば、遠方の注目被写体にピントが合った状態から、内視鏡本体を注目被写体側に近づけ、注目被写体にピントを合わせることである。【００１７】
本発明は、従来技術のこのような問題点に鑑みてなされたものであり、その目的は、内視鏡に好適な対物レンズで、ズーム機能とフォーカス機能をそれぞれ独立して有する拡大観察のできる内視鏡の対物レンズを提供することである。
【課題を解決するための手段】
【００１８】
上記課題を解決するため、本発明の内視鏡の対物レンズは、
広角端の画角（２ω）が１００°以上であり、
物体側から順に、正の第１群、負の第２群、正の第３群を有し、
第３群は、正の第３−１群と正の第３−２群からなり、
少なくとも第２群中のレンズ群が移動し、以下の（１）、（２）を行い、
（１）全系の焦点距離を変化する、
（２）焦点距離の変化に伴う像位置の移動を補正する、
第２群、第３群中の１つの群が作動距離（ＷＤ）が長い側から短い側に向かって像側に移動し、以下の（３）を行うことを特徴とするものである。
（３）作動距離の変化に伴う焦点位置の移動を補正する。【００１９】
以下、上記構成をとる理由と作用を説明する。【００２０】
ズーム機能とフォーカス機能を持ちながら小型で広画角な光学系を達成するためには、光学系の基本構成の選択が重要である。最も簡易な２群ズームでは、ズーム機能と小型化の両立が困難である。レンズ群数が多い程ズーム機能とフォーカス機能を持つには有利になるが、結果としてレンズ構成が複雑となり、内視鏡用として好ましくない。【００２１】
本発明では、基本構成として、物体側から順に、正の第１群、負の第２群、正の第３群を有し、ズーム作用は少なくとも第２群中のレンズ群を含む２群以上を移動し、全系の焦点距離を変化させ、かつ、焦点距離の変化に伴う像位置の移動を補正している。よって、作動距離を一定に保ったまま結像倍率を変化させ、拡大観察することができる。なお、群の正、負は群の屈折力の正、負を意味する。以下、同じ。【００２２】
フォーカス作用は  第２群、第３群中の１つの群が作動距離（ＷＤ）が長い側から短い側に向かって像側に移動して行う。作動距離の変化に伴う焦点位置の移動を補正し、焦点位置を一定に保つ。そのため、内視鏡本体を注目被写体側に近づけ、注目被写体にピントを合わせることができ、結果として近接による拡大観察ができる。【００２３】
第１群は固定とし、比較的レンズ径の小さな群を移動群とすることで、機械構成を含めた対物レンズの小型化ができる。内視鏡用として好ましい広角側の画角（２ω）が１００°以上としている。【００２４】
また、望ましくは、第２群が明るさ絞りを有することである。【００２５】
光学系の略中央部に位置するに明るさ絞りを配置することで、全系での軸外光線を低く抑えている。特に、本発明のように広画角の光学系の場合、第１群のレンズ径を小さくすることが重要である。第２群に明るさ絞りを配置することで、隣接する第１群の軸外光線も比較的低く抑えることができ、内視鏡用の光学系として好ましい。また、第２群で軸外の光線高が最も低くなり、移動群のレンズ径を小さくすることができる。【００２６】
また、望ましくは、以下の条件を満足することである。【００２７】
０．４＜（Ｄ12t −Ｄ12w ）／ｆw ＜１．４          ・・・（１）
０．０２＜ΔDwd ／ｆw ＜０．４                    ・・・（２）
０＜（ｒb ＋ｒa ）／（ｒb −ｒa ）＜２            ・・・（３）
−０．７＜１／βwd＜０．２                        ・・・（４）
ただし、
ｆw は広角端での全系の焦点距離であり、作動距離が遠方端での値である、
Ｄ12w は広角端での第１群と第２群の間隔、
Ｄ12t は望遠端での第１群と第２群の間隔、
ΔDwd は作動距離を遠方端から近傍端へ変化するときの移動群の移動量であり、像側へ移動する方向を＋符号とする，
ｒa は第１群の第１レンズの像側面の曲率半径、
ｒb は第１群の第２レンズの物体側面の曲率半径、
βwdは作動距離を変化するときの移動群の結像倍率であり、広角端かつ作動距離が遠方端での値、
である。【００２８】
条件式（１）から（４）を満足するとさらによい。条件式（１）はズーム作用に関し、ズーム時に移動する群の移動量を規定している。【００２９】
条件式（１）の下限０．４を越えると、ズームによる変倍比を十分にとることができない。上限１．４を越えると、変倍比確保には有利であるが、レンズ全長が長くなり内視鏡用には好ましくない。【００３０】
条件式（２）はフォーカス作用に関し、フォーカス時に移動する群の移動量を規定している。【００３１】
条件式（２）の下限０．０２を越えると、十分な近接観察ができなくなる。上限０．４を越えると、近接観察には有利であるが、レンズ全長が長くなり内視鏡用には好ましくない。【００３２】
条件式（３）は第１群の小型化に関し、レンズ先端部のレンズ形状を規定している。【００３３】
条件式（３）の上限２を越えると、入射瞳が遠くなり、第１群のレンズ径が大きくなりやすい。また、広画角化に不利である。下限０を越えると、レンズ径の小型化には有利であるが、軸外の高次収差が発生しやすくなり好ましくない。【００３４】
条件式（４）はフォーカス作用に関し、フォーカス時に移動する群の結像倍率を規定している。【００３５】
条件式（４）の下限−０．７又は上限０．２の何れを越えても、移動量に対する焦点位置の補正効果が低くなり、フォーカス作用の効率が悪くなる。【００３６】
さらに望ましくは、内視鏡の対物レンズであって、
広角端の画角（２ω）が１００°以上であり、
物体側から順に、正の第１群、負の第２群、正の第３群を有し、
第２群が明るさ絞りを有し、
第３群は、正の第３−１群と正の第３−２群からなり、
少なくとも第２群中のレンズ群が移動し、以下の（１）、（２）を行い、
（１）全系の焦点距離を変化する、
（２）焦点距離の変化に伴う像位置の移動を補正する、
第２群、第３群中の１つの群が作動距離（ＷＤ）が長い側から短い側に向かって像側に移動し、以下の（３）を行うことを特徴とする内視鏡の対物レンズ。
（３）作動距離の変化に伴う焦点位置の移動を補正する、
さらに、以下の条件を満足することを特徴とする内視鏡の対物レンズとする。【００３７】
０．４＜（Ｄ12t −Ｄ12w ）／ｆw ＜１．４          ・・・（１）
０．０２＜ΔDwd ／ｆw ＜０．４                    ・・・（２）
０＜（ｒb ＋ｒa ）／（ｒb −ｒa ）＜２            ・・・（３）
−０．７＜１／βwd＜０．２                        ・・・（４）
ただし、
ｆw は広角端での全系の焦点距離であり、作動距離が遠方端での値である、
Ｄ12w は広角端での第１群と第２群の間隔、
Ｄ12t は望遠端での第１群と第２群の間隔、
ΔDwd は作動距離を遠方端から近傍端へ変化するときの移動群の移動量であり、像側へ移動する方向を＋符号とする，
ｒa は第１群の第１レンズの像側面の曲率半径、
ｒb は第１群の第２レンズの物体側面の曲率半径、
βwdは作動距離を変化するときの移動群の結像倍率であり、広角端かつ作動距離が遠方端での値、
である。【００３８】
また、望ましくは、通常の遠方観察後、作動距離を長い側から短い側に変更し近傍での観察を行い、さらに作動距離を近傍に保ったまま全系の焦点距離を変化させ、より倍率の高い拡大観察を行うことができるものとする。【００３９】
これは、具体的な使用法に関する。上記使用法により、広い視野範囲での観察、及び、注目被写体を近距離で拡大観察、さらに、内視鏡を一定距離に保持したままでより高倍率の観察が可能である。近接拡大の後に光学的にズームできる本発明は、電子ズームに比べ画質の劣化がない。【００４０】
もちろん、本発明に電子ズームを加えるとさらによい。【００４１】
さらに望ましくは、広角側から望遠側に向かって、第２群が像側に移動し、
第３−１群が焦点距離の変化に伴う像位置の移動を補正するように第２群とは異なる軌跡で移動し、
作動距離（ＷＤ）が長い側から短い側に向かって第３−１群が像側に移動するようにすることができる。【００４２】
この構成は後記の実施例１及び実施例７に対応する。【００４３】
この構成は、ズーム機能とフォーカス機能を持ちながら移動群は合計２つであり、簡易な構成である。【００４４】
なお、作動距離（ＷＤ）が長い側から短い側に向かって第３−１群が像側に移動する代わりに、第３−２群を物体側に移動することもできる。ただし、第３−２群はサイズが大きく、移動には不利である。【００４５】
明るさ絞りは、第２群に配置するのが最も好ましい。【００４６】
また、望ましくは、第１群は、負の第１−１群と正の第１−２群からなり、
広角側から望遠側に向かって、第２群が像側に移動し、
第１−２群が焦点距離の変化に伴う像位置の移動を補正するように第２群とは異なる軌跡で移動し、
作動距離（ＷＤ）が長い側から短い側に向かって第３−１群が像側に移動するようにすることができる。【００４７】
この構成は後記の実施例２に対応する。【００４８】
この構成は、ズーム機能とフォーカス機能を別々の群で分担することで、機械構成や制御系が簡素化できる。明るさ絞りは、第２群に配置するのが最も好ましい。【００４９】
また、望ましくは、第１群は、負の第１−１群と正の第１−２群からなり、
広角側から望遠側に向かって、第１−２群が物体側に移動し、第２群が像側に移動し、
第３−１群が焦点距離の変化に伴う像位置の移動を補正するように第１−２群、第２群とは異なる軌跡で移動し、
作動距離（ＷＤ）が長い側から短い側に向かって第３−１群が像側に移動するようにすることができる。【００５０】
この構成は後記の実施例３に対応する。【００５１】
この構成は、ズーム機能を３つの群で分担することで、高変倍化に有利である。明るさ絞りは、第２群に配置するのが最も好ましい。【００５２】
また、望ましくは、第１群は、負の第１−１群と正の第１−２群からなり、
広角側から望遠側に向かって、第１−２群が物体側に移動し、
第２群が焦点距離の変化に伴う像位置の移動を補正するように第１−２群とは異なる軌跡で移動し、
作動距離（ＷＤ）が長い側から短い側に向かって第２群が像側に移動するようにすることができる。【００５３】
この構成は後記の実施例４に対応する。【００５４】
この構成は、ズーム機能とフォーカス機能を持ちながら移動群は合計２つであり、簡易な構成である。明るさ絞りは、第２群に配置するのが最も好ましい。【００５５】
また、望ましくは、第２群は、負の第２−１群と負の第２−２群からなり、
広角側から望遠側に向かって、第２−１群が物体側に移動し、第２−２群が像側に移動し、
第３群が焦点距離の変化に伴う像位置の移動を補正するように第２−１群、第２−２群とは異なる軌跡で移動し、
作動距離（ＷＤ）が長い側から短い側に向かって第２−２群が像側に移動することを特徴とする請求項１、２又は４の何れか１項記載の内視鏡の対物レンズ。【００５６】
この構成は後記の実施例５に対応する。【００５７】
この構成において、第２−２群は小型であり、移動に有利である。明るさ絞りは、第２群に配置するのが最も好ましい。【００５８】
また、望ましくは、第２群は、正の第２−１群と負の第２−２群からなり、
広角側から望遠側に向かって、第２−２群が像側に移動し、
第２−１群が焦点距離の変化に伴う像位置の移動を補正するように第２−２群とは異なる軌跡で移動し、
作動距離（ＷＤ）が長い側から短い側に向かって第２−２群が像側に移動するようにすることができる。【００５９】
この構成は後記の実施例６に対応する。【００６０】
この構成は、ズーム機能とフォーカス機能を持ちながら移動群は合計２つであり、簡易な構成である。また、最も小型の群を移動しているので、機械構成を含めた対物レンズの小型化に有利である。明るさ絞りは、第２群に配置するのが最も好ましい。
【発明の効果】
【００６１】
本発明によれば、内視鏡に好適な対物レンズで、ズーム機能とフォーカス機能をそれぞれ独立して有する拡大観察のできる内視鏡の対物レンズを提供することができる。
【図面の簡単な説明】
【００６２】
【図１】本発明の実施例１の内視鏡の対物レンズの異なる作動距離の場合の広角端、中間状態、望遠端についてのレンズ断面図である。
【図２】本発明の実施例２の内視鏡の対物レンズの図１と同様のレンズ断面図である。
【図３】本発明の実施例３の内視鏡の対物レンズの図１と同様のレンズ断面図である。
【図４】本発明の実施例４の内視鏡の対物レンズの広角端で作動距離を変えた場合と、近傍端での広角端、中間状態、望遠端についてのレンズ断面図である。
【図５】本発明の実施例５の内視鏡の対物レンズの図１と同様のレンズ断面図である。
【図６】本発明の実施例６の内視鏡の対物レンズの図１と同様のレンズ断面図である。
【図７】本発明の実施例６の内視鏡の対物レンズの図１と同様のレンズ断面図である。
【図８】実施例１の図１（ａ）〜（ｃ）の状態での球面収差、非点収差、倍率色収差、歪曲収差を示す図である。
【図９】実施例１の図１（ｄ）〜（ｆ）の状態での球面収差、非点収差、倍率色収差、歪曲収差を示す図である。
【図１０】実施例２の図８と同様の図である。
【図１１】実施例２の図９と同様の図である。
【図１２】実施例３の図８と同様の図である。
【図１３】実施例３の図９と同様の図である。
【図１４】実施例４の図４（ａ）〜（ｃ）の状態での球面収差、非点収差、倍率色収差、歪曲収差を示す図である。
【図１５】実施例４の図４（ｃ）〜（ｅ）の状態での球面収差、非点収差、倍率色収差、歪曲収差を示す図である。
【図１６】実施例５の図１４と同様の図である。
【図１７】実施例５の図１５と同様の図である。
【図１８】実施例６の図１４と同様の図である。
【図１９】実施例６の図１５と同様の図である。
【図２０】実施例７の図１４と同様の図である。
【図２１】実施例７の図１５と同様の図である。
【発明を実施するための形態】
【００６３】
以下に、本発明の内視鏡の対物レンズの実施例１〜７について説明する。
【００６４】
実施例１の内視鏡の対物レンズの作動距離が遠方端（ａ）〜（ｃ）である場合と近傍端（ｄ）〜（ｆ）である場合においてそれぞれ広角端（ａ）、（ｄ）、中間状態（ｂ）、（ｅ）、望遠端（ｃ）、（ｆ）についてのレンズ断面図を図１に示す。この対物レンズの第１群をＧ１、第２群をＧ２、第３群をＧ３で示し、第３群Ｇ３の第３−１群をＧ３１、第３−２群をＧ３２でそれぞれ示す。また、開口絞りをＳ、像面をＩでそれぞれ示す。そして、図中のＰはレーザーカットフィルター、赤外カットフィルター、光学的ローパスフィルター等を想定した光学部材、Ｃはカバーガラス、ＤはＣＣＤチップ封止ガラス、Ｆはフレアー絞りをそれぞれ示す。図１（ａ）から（ｂ）、（ｂ）から（ｃ）にかけて矢印はレンズ群の移動方向を概略的に示し、図１（ｄ）における矢印は作動距離を遠方端から近傍端に変更する場合のレンズ群の移動方向を示す。なお、これらのレンズ断面図（ａ）〜（ｃ）において、図面の簡単化のために、以上の記号は図１（ａ）にのみ示し、他には図示を省く。さらには、光学面の面番号及び面間隔の図示は省く。なお、以上の記号、矢印、図示の方法は他の実施例２〜７（図２〜図７）においても同様である。
【００６５】
なお、実施例１〜７の数値データは後記するが、面番号は、第１群Ｇ１の先端面から数えた光学面の面番号を“Ｎｏ”で示してあり、曲率半径は“ｒ”で、面間隔又は空気間隔は“ｄ”で、ｄ線の屈折率は“ｎd ”で、アッベ数は“ｖd ”でそれぞれ示してある。曲率半径、面間隔、焦点距離はｍｍ単位である。
【００６６】
実施例１の内視鏡の対物レンズは、図１に示すように、平凹負レンズと、物体側に凸面を向けた負メニスカスレンズと両凸正レンズの接合レンズと、両凸正レンズとからなる正の第１群Ｇ１、物体側に開口絞りＳが一体に配置され、物体側に凹面を向けた正メニスカスレンズと両凹負レンズの接合レンズからなる負の第２群Ｇ２、両凸正レンズと物体側に凹面を向けた負メニスカスレンズの接合レンズと、両凸正レンズと物体側に凹面を向けた負メニスカスレンズの接合レンズとからなる正の第３群Ｇ３から構成され、第３群Ｇ３の物体側の接合レンズが正の第３−１群Ｇ３１、像側の接合レンズが正の第３−２群Ｇ３２を構成している。なお、第１群Ｇ１の平凹負レンズと接合レンズの間、及び、第３群Ｇ３の像側にレーザーカットフィルター等の光学部材Ｐが配置され、その第３群Ｇ３の像側の光学部材Ｐの像側には、カバーガラスＣとＣＣＤチップ封止ガラスＤが接合されており、ＣＣＤチップ封止ガラスＤの背後に像面Ｉが位置する。また、後記の数値データ中の面番号３、６、１０、１３、１８、２２、２６、２７、３０、３１で示される平面はフレアー絞りＦである。
【００６７】
図１（ａ）は広角端で作動距離が３０ｍｍの遠方端、（ｂ）は中間状態で作動距離が同じの遠方端、（ｃ）は望遠端で作動距離が同じの遠方端、（ｄ）は広角端で作動距離が１５ｍｍの近傍端、（ｅ）は中間状態で作動距離が同じの近傍端、（ｆ）は望遠端で作動距離が同じの近傍端である。遠方端においては広角端から望遠端にかけて、第１群Ｇ１、第３−２群Ｇ３２は固定であり、第２群Ｇ２が像側に単調に移動し、第３−１群Ｇ３１が第２群Ｇ２との間隔を減少させながら中間状態までは像側へ移動し、中間状態から望遠端にかけて物体側に移動し、広角端と遠方端では同じ位置になる。
【００６８】
作動距離を遠方端から近傍端に変更するときは、図１（ａ）〜（ｃ）それぞれの状態で、第３−１群Ｇ３１を像側に移動する。すなわち、近傍端においては広角端から望遠端にかけて、第２群Ｇ２は遠方端と同様に像側に単調に移動し、第３−１群Ｇ３１は遠方端の場合と異なり、遠方端の軌跡より像側に寄った軌跡に従って移動する。その移動は、第２群Ｇ２との間隔を減少させながら中間状態までは像側へ移動し、中間状態から望遠端にかけて物体側に移動し、望遠端では広角端より像側の位置となる。
【００６９】
この実施例１の図１（ａ）、（ｂ）、（ｃ）の状態での収差曲線図をそれぞれ図８（ａ）、（ｂ）、（ｃ）に、図１（ｄ）、（ｅ）、（ｆ）の状態での収差曲線図をそれぞれ図９（ａ）、（ｂ）、（ｃ）に示してある。収差曲線図中、歪曲収差を除いて横軸は収差量（ｍｍ）である。また。歪曲収差の横軸は収差量（％）である。また、“ＦＩＹ”は像高（ｍｍ）である。また、収差曲線の波長の単位はｎｍである。以下、同じ。
【００７０】
次に、実施例２の内視鏡の対物レンズの図１と同様のレンズ断面図を図２に示す。この対物レンズの第１群をＧ１、第２群をＧ２、第３群をＧ３で示し、第１群Ｇ１の第１−１群をＧ１１、第１−２群をＧ１２、第３群Ｇ３の第３−１群をＧ３１、第３−２群をＧ３２でそれぞれ示す。
【００７１】
実施例２の内視鏡の対物レンズは、図２に示すように、平凹負レンズと、両凹負レンズと両凸正レンズの接合レンズと、両凸正レンズとからなる正の第１群Ｇ１、物体側に開口絞りＳが一体に配置され、物体側に凹面を向けた正メニスカスレンズと両凹負レンズの接合レンズからなる負の第２群Ｇ２、両凸正レンズと物体側に凹面を向けた負メニスカスレンズの接合レンズと、両凸正レンズと物体側に凹面を向けた負メニスカスレンズの接合レンズとからなる正の第３群Ｇ３から構成され、第１群Ｇ１の平凹負レンズが負の第１−１群Ｇ１１、接合レンズと両凸正レンズが正の第１−２群Ｇ１２を構成し、第３群Ｇ３の物体側の接合レンズが正の第３−１群Ｇ３１、像側の接合レンズが正の第３−２群Ｇ３２を構成している。なお、第１群Ｇ１の平凹負レンズと接合レンズの間、及び、第３群Ｇ３の像側にレーザーカットフィルター等の光学部材Ｐが配置され、その第３群Ｇ３の像側の光学部材Ｐの像側には、カバーガラスＣとＣＣＤチップ封止ガラスＤが接合されており、ＣＣＤチップ封止ガラスＤの背後に像面Ｉが位置する。また、後記の数値データ中の面番号３、６、１０、１３、１８、２２、２６、２７、３０、３１で示される平面はフレアー絞りＦである。
【００７２】
図２（ａ）は広角端で作動距離が３０ｍｍの遠方端、（ｂ）は中間状態で作動距離が同じの遠方端、（ｃ）は望遠端で作動距離が同じの遠方端、（ｄ）は広角端で作動距離が１５ｍｍの近傍端、（ｅ）は中間状態で作動距離が同じの近傍端、（ｆ）は望遠端で作動距離が同じの近傍端である。遠方端においては広角端から望遠端にかけて、第１−１群Ｇ１１、第３群Ｇ３は固定であり、第１−２群Ｇ１２が物体側に単調に移動し、第２群Ｇ２が像側に単調に移動する。
【００７３】
作動距離を遠方端から近傍端に変更するときは、図２（ａ）〜（ｃ）それぞれの状態で、第３−１群Ｇ３１を像側に移動する。
【００７４】
この実施例２の図２（ａ）、（ｂ）、（ｃ）の状態での収差曲線図をそれぞれ図１０（ａ）、（ｂ）、（ｃ）に、図２（ｄ）、（ｅ）、（ｆ）の状態での収差曲線図をそれぞれ図１１（ａ）、（ｂ）、（ｃ）に示してある。
【００７５】
次に、実施例３の内視鏡の対物レンズの図１と同様のレンズ断面図を図３に示す。この対物レンズの第１群をＧ１、第２群をＧ２、第３群をＧ３で示し、第１群Ｇ１の第１−１群をＧ１１、第１−２群をＧ１２、第３群Ｇ３の第３−１群をＧ３１、第３−２群をＧ３２でそれぞれ示す。
【００７６】
実施例３の内視鏡の対物レンズは、図３に示すように、平凹負レンズと、物体側に凸面を向けた負メニスカスレンズと両凸正レンズの接合レンズと、両凸正レンズとからなる正の第１群Ｇ１、物体側に開口絞りＳが一体に配置され、物体側に凹面を向けた正メニスカスレンズと両凹負レンズの接合レンズからなる負の第２群Ｇ２、両凸正レンズと物体側に凹面を向けた負メニスカスレンズの接合レンズと、両凸正レンズと物体側に凹面を向けた負メニスカスレンズの接合レンズとからなる正の第３群Ｇ３から構成され、第１群Ｇ１の平凹負レンズが負の第１−１群Ｇ１１、接合レンズと両凸正レンズが正の第１−２群Ｇ１２を構成し、第３群Ｇ３の物体側の接合レンズが正の第３−１群Ｇ３１、像側の接合レンズが正の第３−２群Ｇ３２を構成している。なお、第１群Ｇ１の平凹負レンズと接合レンズの間、及び、第３群Ｇ３の像側にレーザーカットフィルター等の光学部材Ｐが配置され、その第３群Ｇ３の像側の光学部材Ｐの像側には、カバーガラスＣとＣＣＤチップ封止ガラスＤが接合されており、ＣＣＤチップ封止ガラスＤの背後に像面Ｉが位置する。また、後記の数値データ中の面番号３、６、１０、１３、１８、２２、２６、２７、３０、３１で示される平面はフレアー絞りＦである。
【００７７】
図３（ａ）は広角端で作動距離が３０ｍｍの遠方端、（ｂ）は中間状態で作動距離が同じの遠方端、（ｃ）は望遠端で作動距離が同じの遠方端、（ｄ）は広角端で作動距離が１５ｍｍの近傍端、（ｅ）は中間状態で作動距離が同じの近傍端、（ｆ）は望遠端で作動距離が同じの近傍端である。遠方端においては広角端から望遠端にかけて、第１−１群Ｇ１１、第３−２群Ｇ３２は固定であり、第１−２群Ｇ１２が物体側に単調に移動し、第２群Ｇ２が像側に単調に移動し、第３−１群Ｇ３１が第２群Ｇ２との間隔を減少させながら中間状態までは像側へ移動し、中間状態から望遠端にかけて第２群Ｇ２との間隔を減少させながら物体側に移動し、望遠端では広角端より物体側の位置になる。
【００７８】
作動距離を遠方端から近傍端に変更するときは、図３（ａ）〜（ｃ）それぞれの状態で、第３−１群Ｇ３１を像側に移動する。すなわち、近傍端においては広角端から望遠端にかけて、第１−２群Ｇ１２と第２群Ｇ２は遠方端と同様に単調に移動し、第３−１群Ｇ３１は遠方端の場合と異なり、遠方端の軌跡より像側に寄った軌跡に従って移動する。その移動は、第２群Ｇ２との間隔を減少させながら中間状態までは像側へ移動し、中間状態から望遠端にかけて物体側に移動し、望遠端では広角端より若干像側の位置となる。
【００７９】
この実施例３の図３（ａ）、（ｂ）、（ｃ）の状態での収差曲線図をそれぞれ図１２（ａ）、（ｂ）、（ｃ）に、図３（ｄ）、（ｅ）、（ｆ）の状態での収差曲線図をそれぞれ図１３（ａ）、（ｂ）、（ｃ）に示してある。
【００８０】
実施例４の内視鏡の対物レンズの作動距離が遠方端である場合と中間距離である場合と近傍端である場合においてそれぞれ広角端でのレンズ断面図（ａ）、（ｂ）、（ｃ）と、作動距離が近傍端である場合において中間状態と望遠端でのレンズ断面図（ｄ）、（ｅ）を図４に示す。この対物レンズの第１群をＧ１、第２群をＧ２、第３群をＧ３で示し、第１群Ｇ１の第１−１群をＧ１１、第１−２群をＧ１２でそれぞれ示す。
【００８１】
実施例４の内視鏡の対物レンズは、図４に示すように、平凹負レンズと、物体側に凹面を向けた正メニスカスレンズと、両凸正レンズと物体側に凹面を向けた負メニスカスレンズの接合レンズとからなる正の第１群Ｇ１、物体側に開口絞りＳが一体に配置され、物体側に凸面を向けた負メニスカスレンズと物体側に凸面を向けた正メニスカスレンズの接合レンズからなる負の第２群Ｇ２、両凸正レンズと、両凸正レンズと物体側に凹面を向けた負メニスカスレンズの接合レンズとからなる正の第３群Ｇ３から構成され、第１群Ｇ１の平凹負レンズと正メニスカスレンズが負の第１−１群Ｇ１１、接合レンズが正の第１−２群Ｇ１２を構成している。なお、第３群Ｇ３の像側にレーザーカットフィルター等の光学部材Ｐが配置され、その第３群Ｇ３の像側の光学部材Ｐの像側には、カバーガラスＣとＣＣＤチップ封止ガラスＤが接合されており、ＣＣＤチップ封止ガラスＤの背後に像面Ｉが位置する。また、後記の数値データ中の面番号３、１５、１６、２２で示される平面はフレアー絞りＦである。
【００８２】
図４（ａ）は広角端で作動距離が１５ｍｍの遠方端、（ｂ）は広角端で作動距離が５ｍｍの中間距離、（ｃ）は広角端で作動距離が２．４７６４１ｍｍの近傍端、（ｄ）は作動距離が２．４７６４１ｍｍの近傍端で中間状態、（ｅ）は作動距離が２．４７６４１ｍｍの近傍端で望遠端である。近傍端においては広角端から望遠端にかけて、第１−１群Ｇ１１、第３群Ｇ３は固定であり、第１−２群Ｇ１２が物体側に単調に移動し、第２群Ｇ２が第１−２群Ｇ１２との間隔を広げながら物体側に単調に移動する（（ｃ）〜（ｅ））。
【００８３】
広角端で作動距離を遠方端から近傍端に変更するときは、第２群Ｇ２を像側に移動する（（ａ）〜（ｃ）））。
【００８４】
この実施例４の図４（ａ）、（ｂ）、（ｃ）の状態での収差曲線図をそれぞれ図１４（ａ）、（ｂ）、（ｃ）に、図４（ｃ）、（ｄ）、（ｅ）の状態での収差曲線図をそれぞれ図１５（ａ）、（ｂ）、（ｃ）に示してある。
【００８５】
次に、実施例５の内視鏡の対物レンズの図４と同様のレンズ断面図を図５に示す。この対物レンズの第１群をＧ１、第２群をＧ２、第３群をＧ３で示し、第２群Ｇ２の第２−１群をＧ２１、第２−２群をＧ２２でそれぞれ示す。
【００８６】
実施例５の内視鏡の対物レンズは、図５に示すように、平凹負レンズと、物体側に凹面を向けた正メニスカスレンズと、両凸正レンズと物体側に凹面を向けた負メニスカスレンズの接合レンズとからなる正の第１群Ｇ１、物体側に開口絞りＳが配置され、物体側に凹面を向けた負メニスカスレンズと、物体側に凸面を向けた負メニスカスレンズと物体側に凸面を向けた負メニスカスレンズの接合レンズからなる負の第２群Ｇ２、両凸正レンズと、物体側に凹面を向けた正メニスカスレンズと物体側に凹面を向けた負メニスカスレンズの接合レンズとからなる正の第３群Ｇ３から構成され、第２群Ｇ２の単独の負メニスカスレンズが負の第２−１群Ｇ２１、接合レンズが負の第２−２群Ｇ２２を構成している。開口絞りＳは単独の負メニスカスレンズの物体側に一体に配置されている。なお、第３群Ｇ３の像側にレーザーカットフィルター等の光学部材Ｐが配置され、その第３群Ｇ３の像側の光学部材Ｐの像側には、カバーガラスＣとＣＣＤチップ封止ガラスＤが接合されており、ＣＣＤチップ封止ガラスＤの背後に像面Ｉが位置する。また、後記の数値データ中の面番号３、４、５、１９、２０、２６で示される平面はフレアー絞りＦである。
【００８７】
図５（ａ）は広角端で作動距離が１５ｍｍの遠方端、（ｂ）は広角端で作動距離が２．５ｍｍの中間距離、（ｃ）は広角端で作動距離が１．５８ｍｍの近傍端、（ｄ）は作動距離が１．５８ｍｍの近傍端で中間状態、（ｅ）は作動距離が１．５８ｍｍの近傍端で望遠端である。近傍端においては広角端から望遠端にかけて、第１群Ｇ１は固定であり、第２−１群Ｇ２１が物体側に単調に移動し、第２−２群Ｇ２２が像側に単調に移動し、第３群Ｇ３が第２−２群Ｇ２２との間隔を広げながら像側に単調に移動する（（ｃ）〜（ｅ））。
【００８８】
広角端で作動距離を遠方端から近傍端に変更するときは、第２−２群Ｇ２２を像側に移動する（（ａ）〜（ｃ）））。
【００８９】
この実施例５の図５（ａ）、（ｂ）、（ｃ）の状態での収差曲線図をそれぞれ図１６（ａ）、（ｂ）、（ｃ）に、図５（ｃ）、（ｄ）、（ｅ）の状態での収差曲線図をそれぞれ図１７（ａ）、（ｂ）、（ｃ）に示してある。
【００９０】
次に、実施例６の内視鏡の対物レンズの図４と同様のレンズ断面図を図６に示す。この対物レンズの第１群をＧ１、第２群をＧ２、第３群をＧ３で示し、第２群Ｇ２の第２−１群をＧ２１、第２−２群をＧ２２でそれぞれ示す。
【００９１】
実施例６の内視鏡の対物レンズは、図６に示すように、平凹負レンズと、物体側に凹面を向けた正メニスカスレンズと、両凸正レンズと物体側に凹面を向けた負メニスカスレンズの接合レンズとからなる正の第１群Ｇ１、開口絞りＳが間に配置され、両凸正レンズと、両凹負レンズと物体側に凸面を向けた正メニスカスレンズの接合レンズからなる負の第２群Ｇ２、両凸正レンズと、両凸正レンズと物体側に凹面を向けた負メニスカスレンズの接合レンズとからなる正の第３群Ｇ３から構成され、第２群Ｇ２の両凸正レンズが正の第２−１群Ｇ２１、接合レンズが負の第２−２群Ｇ２２を構成している。開口絞りＳは接合レンズの最も物体側のレンズ面の面頂位置に配置されている。なお、第３群Ｇ３の像側にレーザーカットフィルター等の光学部材Ｐが配置され、その第３群Ｇ３の像側の光学部材Ｐの像側には、カバーガラスＣとＣＣＤチップ封止ガラスＤが接合されており、ＣＣＤチップ封止ガラスＤの背後に像面Ｉが位置する。また、後記の数値データ中の面番号３、４、５、１１、１９、２０、２６で示される平面はフレアー絞りＦである。
【００９２】
図６（ａ）は広角端で作動距離が１５ｍｍの遠方端、（ｂ）は広角端で作動距離が２．５ｍｍの中間距離、（ｃ）は広角端で作動距離が１．５８ｍｍの近傍端、（ｄ）は作動距離が１．５８ｍｍの近傍端で中間状態、（ｅ）は作動距離が１．５８ｍｍの近傍端で望遠端である。近傍端においては広角端から望遠端にかけて、第１群Ｇ１、第３群Ｇ３は固定であり、第２−１群Ｇ２１が像側に単調に移動し、第２−２群Ｇ２２が第２−１群Ｇ２１との間隔を減少させながら像側に単調に移動する（（ｃ）〜（ｅ））。
【００９３】
広角端で作動距離を遠方端から近傍端に変更するときは、第２−２群Ｇ２２を像側に移動する（（ａ）〜（ｃ）））。
【００９４】
この実施例６の図６（ａ）、（ｂ）、（ｃ）の状態での収差曲線図をそれぞれ図１８（ａ）、（ｂ）、（ｃ）に、図６（ｃ）、（ｄ）、（ｅ）の状態での収差曲線図をそれぞれ図１９（ａ）、（ｂ）、（ｃ）に示してある。
【００９５】
次に、実施例７の内視鏡の対物レンズの図４と同様のレンズ断面図を図７に示す。この対物レンズの第１群をＧ１、第２群をＧ２、第３群をＧ３で示し、第３群Ｇ３の第３−１群をＧ３１、第３−２群をＧ３２でそれぞれ示す。
【００９６】
実施例７の内視鏡の対物レンズは、図７に示すように、平凹負レンズと、物体側に凹面を向けた正メニスカスレンズと、両凸正レンズと物体側に凹面を向けた負メニスカスレンズの接合レンズとからなる正の第１群Ｇ１、物体側に開口絞りＳが一体に配置され、両凹負レンズと物体側に凸面を向けた正メニスカスレンズの接合レンズからなる負の第２群Ｇ２、両凸正レンズ２枚と、両凸正レンズと物体側に凹面を向けた負メニスカスレンズの接合レンズとからなる正の第３群Ｇ３から構成され、第３群Ｇ３の物体側の２枚の両凸正レンズが正の第３−１群Ｇ３１、接合レンズが正の第３−２群Ｇ３２を構成している。なお、第１群Ｇ１の平凹負レンズと正メニスカスレンズの間、及び、第３群Ｇ３の像側にレーザーカットフィルター等の光学部材Ｐが配置され、その第３群Ｇ３の像側の光学部材Ｐの像側には、カバーガラスＣとＣＣＤチップ封止ガラスＤが接合されており、ＣＣＤチップ封止ガラスＤの背後に像面Ｉが位置する。また、後記の数値データ中の面番号３、４、２０、２１、２７で示される平面はフレアー絞りＦである。
【００９７】
図７（ａ）は広角端で作動距離が１２ｍｍの遠方端、（ｂ）は広角端で作動距離が６ｍｍの中間距離、（ｃ）は広角端で作動距離が３ｍｍの近傍端、（ｄ）は作動距離が３ｍｍの近傍端で中間状態、（ｅ）は作動距離が３ｍｍの近傍端で望遠端である。近傍端においては広角端から望遠端にかけて、第１群Ｇ１、第３−２群Ｇ３２は固定であり、第２群Ｇ２が像側に単調に移動し、第３−１群Ｇ３１が第２群Ｇ２との間隔を減少させながら像側に単調に移動する（（ｃ）〜（ｅ））。
【００９８】
広角端で作動距離を遠方端から近傍端に変更するときは、第３−１群Ｇ３１を像側に移動する（（ａ）〜（ｃ）））。
【００９９】
この実施例７の図７（ａ）、（ｂ）、（ｃ）の状態での収差曲線図をそれぞれ図２０（ａ）、（ｂ）、（ｃ）に、図７（ｃ）、（ｄ）、（ｅ）の状態での収差曲線図をそれぞれ図２１（ａ）、（ｂ）、（ｃ）に示してある。
【０１００】
以下に、上記実施例１〜７の数値データを示す。以下の表において、“ＩＮＦ”無限大を示す。“ＷＤ”は作動距離、“ｆ”は全系の焦点距離、“２ω”は画角（°）、“Ｆｎｏ”は有効Ｆナンバー、“ＩＨ”は像高を示す。“ＷＦ”は広角端で作動距離が遠方端、“ＭＦ”は中間状態で作動距離が遠方端、“ＴＦ”は望遠端で作動距離が遠方端、“ＷＮ”は広角端で作動距離が近傍端、“ＭＮ”は中間状態で作動距離が近傍端、“ＴＮ”は望遠端で作動距離が近傍端、“ＷＭ”は広角端で作動距離が中間距離を示す。
【０１０１】
実施例１
Ｎｏ              ｒ          ｄ        ｎd       ｖd 
物面             INF        可変                    
1             INF         0.3200    1.88300    40.78 
2            1.5938       1.1309                     
3             INF         0.0300                     
4             INF         0.3100    1.51400    75.00 
5             INF         0.0710                     
6             INF         0.1220                     
7           34.8300       0.2500    1.92286    18.90 
8            5.4265       0.6336    1.72916    54.68 
9           -3.2527       0.0200                     
10             INF         0.0000                     
11            7.3301       0.3594    1.88300    40.76 
12           -5.6706       0.1300                     
13             INF        可変                        
14（絞り）     INF         0.0156                     
15           -2.4871       0.2868    1.92286    18.90 
16           -1.9298       0.2500    1.77250    49.60 
17            2.7927       1.5434                     
18             INF         0.0000                     
19            9.1873       0.9769    1.72916    54.68 
20           -3.1310       0.4000    1.92286    18.90 
21           -3.3270       0.0000                     
22             INF        可変                        
23            5.0011       1.8054    1.48749    70.23 
24           -2.5005       0.4000    1.92286    18.90 
25           -7.5959       0.0000                     
26             INF         1.8171                     
27             INF         0.0300                     
28             INF         0.4000    1.52287    59.89 
29             INF         0.0300                     
30             INF         0.8700                     
31             INF         0.0300                     
32             INF         1.5000    1.51633    64.14 
33             INF         0.0100    1.51000    63.00 
34             INF         1.2300    1.50600    60.00 
像面             INF                                    
Ｎｏ        ＷＦ            ＭＦ            ＴＦ
d0  ＷＤ   30.00000        30.00000        30.00000 
d13         0.04000         0.77732         1.28942 
d17         1.54336         1.10249         0.29394 
d22         0.56824         0.27178         0.56824 
ｆ          1.933           2.650           3.848 
２ω      130              79              51 
Ｆｎｏ      7.9             9.0            11.5 
Ｎｏ        ＷＮ            ＭＮ            ＴＮ
d0  ＷＤ   15.00000        15.00000        15.00000 
d13         0.04000         0.77732         1.28942 
d17         1.62355         1.26906         0.61828 
d22         0.48805         0.10522         0.24390 
ｆ          1.863           2.467           3.374 
２ω      139              85              57 
Ｆｎｏ      7.6             8.4            10.3 
ＩＨ：1.843                                                   。
【０１０２】
実施例２
Ｎｏ              ｒ          ｄ        ｎd       ｖd 
物面             INF        可変        
1             INF         0.3200    1.88300    40.78 
2            1.6901       0.5000                     
3             INF         0.0300                     
4             INF         0.3100    1.51400    75.00 
5             INF        可変                        
6             INF         0.0000                     
7          -12.8991       0.2500    1.92286    18.90 
8            6.3401       0.7526    1.72916    54.68 
9           -4.6231       0.0200                     
10             INF         0.0000                     
11            4.1327       0.5121    1.88300    40.76 
12           -4.8047       0.1300                     
13             INF        可変                        
14（絞り）     INF         0.0156                     
15           -2.4350       0.4367    1.92286    18.90 
16           -1.6442       0.2500    1.77250    49.60 
17            3.2380      可変                        
18             INF         0.0000                     
19            8.6027       1.0500    1.72916    54.68 
20           -3.1216       0.4000    1.92286    18.90 
21           -3.9692       0.0000                     
22             INF         0.6352                     
23            4.7756       1.5806    1.48749    70.23 
24           -2.9286       0.4000    1.92286    18.90 
25           -8.0116       0.0000                     
26             INF         2.2846                     
27             INF         0.0300                     
28             INF         0.4000    1.52287    59.89 
29             INF         0.0300                     
30             INF         0.8700                     
31             INF         0.0300                     
32             INF         1.5000    1.51633    64.14 
33             INF         0.0100    1.51000    63.00 
34             INF         1.2300    1.50600    60.00 
像面             INF                                    
Ｎｏ        ＷＦ            ＭＦ            ＴＦ
d0  ＷＤ   30.00000        30.00000        30.00000 
d5          1.11528         0.67496         0.29971 
d13         0.04000         0.92634         1.90414 
d17         1.39706         0.95105         0.34850 
d22         0.63516         0.63516         0.63516 
ｆ          1.992           3.085           4.780 
２ω      130              68              40 
Ｆｎｏ      7.5             8.5             9.8 
Ｎｏ        ＷＮ            ＭＮ            ＴＮ
d0  ＷＤ   15.00000        15.00000        15.00000 
d5          1.11528         0.67496         0.29971 
d13         0.04000         0.92634         1.90414 
d17         1.48981         1.17094         0.88019 
d22         0.54241         0.41527         0.10347 
ｆ          1.921           2.842           4.022 
２ω      140              74              47 
Ｆｎｏ      7.3             7.9             8.3 
ＩＨ：1.843                                                   。
【０１０３】
実施例３
Ｎｏ              ｒ          ｄ        ｎd       ｖd 
物面             INF        可変                        
1             INF         0.3200    1.88300    40.78 
2            1.6074       0.5000                     
3             INF         0.0300                     
4             INF         0.3100    1.51400    75.00 
5             INF        可変                        
6             INF         0.0000                     
7            9.1923       0.2500    1.92286    18.90 
8            2.8938       0.5953    1.72916    54.68 
9           -6.5967       0.0200                     
10             INF         0.0000                     
11            5.7227       0.4527    1.88300    40.76 
12           -3.7543       0.1300                     
13             INF        可変                        
14（絞り）     INF         0.0156                     
15           -2.2196       0.2950    1.92286    18.90 
16           -1.3591       0.2500    1.77250    49.60 
17            2.5968      可変                        
18             INF         0.0000                     
19            8.0113       0.8841    1.72916    54.68 
20           -3.7093       0.4000    1.92286    18.90 
21           -3.8534       0.0000                     
22             INF        可変                        
23            4.8969       1.7048    1.48749    70.23 
24           -2.7383       0.4000    1.92286    18.90 
25          -10.6574       0.0000                     
26             INF         2.3299                     
27             INF         0.0300                     
28             INF         0.4000    1.52287    59.89 
29             INF         0.0300                     
30             INF         0.8700                     
31             INF         0.0300                     
32             INF         1.5000    1.51633    64.14 
33             INF         0.0100    1.51000    63.00 
34             INF         1.2300    1.50600    60.00 
像面             INF                                    
Ｎｏ        ＷＦ            ＭＦ            ＴＦ
d0  ＷＤ   30.00000        30.00000        30.00000 
d5          1.33832         0.44745         0.35239 
d13         0.04000         1.18004         1.90142 
d17         1.76980         1.62838         0.29711 
d22         0.45710         0.34936         1.05430 
ｆ          2.004           3.464           6.007 
２ω      130              60              30 
Ｆｎｏ      6.9             7.2            10.7 
Ｎｏ        ＷＮ            ＭＮ            ＴＮ
d0  ＷＤ   15.00000        15.00000        15.00000 
d5          1.33832         0.44745         0.35239 
d13         0.04000         1.18004         1.90142 
d17         1.86369         1.91436         1.04408 
d22         0.36321         0.06337         0.30734 
ｆ          1.926           3.109           4.748 
２ω      140              67              37 
Ｆｎｏ      6.7             6.5             8.5 
ＩＨ：1.843                                                   。
【０１０４】
実施例４
Ｎｏ              ｒ          ｄ        ｎd       ｖd 
物面             INF        可変                        
1             INF         0.2852    1.88300    40.78 
2            1.3795       0.3703                     
3             INF         0.4520                     
4           -2.0035       1.2220    1.51742    52.43 
5           -1.8638      可変                        
6            3.5818       0.8886    1.77250    49.60 
7           -2.2796       0.2251    1.92286    18.90 
8           -4.3562      可変                        
9（絞り）     INF         0.1000                     
10            7.2143       0.2101    1.48749    70.23 
11            1.0214       0.2626    1.59270    35.31 
12            1.2569      可変                        
13            2.4586       0.7623    1.48749    70.23 
14           -9.5466      -0.0600                     
15             INF         0.0225                     
16             INF         0.0675                     
17            7.9078       1.1519    1.48749    70.23 
18           -1.7384       0.3152    1.92286    18.90 
19           -3.5738       0.4052                     
20             INF         0.3002    1.52287    59.89 
21             INF         0.5103                     
22             INF         0.0225                     
23             INF         0.7504    1.51633    64.14 
24             INF         0.0075    1.51000    63.00 
25             INF         0.4878    1.50600    60.00 
像面             INF                                    
Ｎｏ        ＷＦ            ＷＭ            ＷＮ
d0  ＷＤ   15.00000         5.00000         2.47641 
d5          2.37084         2.37084         2.37084 
d8          0.23811         0.41902         0.63584 
d12         1.35379         1.17288         0.95606 
ｆ          1.293           1.319           1.342 
２ω      133             123             112 
Ｆｎｏ      6.5             6.5             6.5 
Ｎｏ        ＷＮ            ＭＮ            ＴＮ
d0  ＷＤ    2.47641         2.47641         2.47641 
d5          2.37084         2.18400         0.59660 
d8          0.63584         0.72341         1.93630 
d12         0.95606         1.06587         1.47100 
ｆ          1.342           1.403           2.246 
２ω      112             107              57 
Ｆｎｏ      6.5             6.5             6.5 
ＩＨ：1.32                                                    。
【０１０５】
実施例５
Ｎｏ              ｒ          ｄ        ｎd       ｖd 
物面             INF        可変                        
1             INF         0.2852    1.88300    40.78 
2            1.6075       0.7238                     
3             INF         3.6139                     
4             INF         0.0225                     
5             INF         0.0976                     
6          -26.3995       1.5408    1.51742    52.43 
7           -2.4896       0.0225                     
8            9.0371       0.4669    1.77250    49.60 
9           -2.1986       0.2251    1.92286    18.90 
10           -3.2664      可変                        
11（絞り）     INF         0.1000                     
12           -2.2086       0.2000    1.48749    70.23 
13           -8.2251      可変                        
14           13.8916       0.2000    1.48749    70.23 
15            3.6020       0.2626    1.59270    35.31 
16            1.3361      可変                        
17           18.6833       1.2110    1.48749    70.23 
18           -3.6664      -0.0600                     
19             INF         0.0225                     
20             INF         0.0675                     
21          -13.0957       1.1256    1.48749    70.23 
22           -1.6264       0.3152    1.92286    18.90 
23           -2.1774      可変                        
24             INF         0.3002    1.52287    59.89 
25             INF         0.5103                     
26             INF         0.0225                     
27             INF         0.7504    1.51633    64.14 
28             INF         0.0075    1.51000    63.00 
29             INF         0.4878    1.50600    60.00 
像面             INF                                    
Ｎｏ        ＷＦ            ＷＭ            ＷＮ
d0  ＷＤ   15.00000         2.50000         1.58000 
d10         0.39846         0.39846         0.39846 
d13         0.03753         0.30840         0.42343 
d16         0.72523         0.45435         0.33933 
d23         2.74545         2.74545         2.74545 
ｆ          1.482           1.552           1.575 
２ω      122             104              98 
Ｆｎｏ      8.5             9.2             9.6 
Ｎｏ        ＷＮ            ＭＮ            ＴＮ
d0  ＷＤ    1.58000         1.58000         1.58000 
d10         0.39846         0.21892         0.05761 
d13         0.42343         1.87772         2.67128 
d16         0.33933         0.98592         1.08876 
d23         2.74545         0.82384         0.11018 
ｆ          1.575           2.035           2.368 
２ω       98              76              67 
Ｆｎｏ      9.6            12.4            14.9 
ＩＨ：1.32                                                    。
【０１０６】
実施例６
Ｎｏ              ｒ          ｄ        ｎd       ｖd 
物面             INF        可変                        
1             INF         0.2852    1.88300    40.78 
2            1.9184       0.7238                     
3             INF         1.5437                     
4             INF         0.0225                     
5             INF         0.0976                     
6           -3.7117       1.3911    1.51742    52.43 
7           -2.8978       0.0225                     
8            4.4284       0.6206    1.77250    49.60 
9           -2.3756       0.2251    1.92286    18.90 
10           -4.7641      可変                        
11             INF         0.1000                     
12            2.7474       0.2000    1.48749    70.23 
13           -4.8446      可変                        
14（絞り）   -1.5664       0.2000    1.48749    70.23 
15            0.5046       0.2626    1.59270    35.31 
16            0.8956      可変                        
17            2.9923       1.0656    1.48749    70.23 
18           -2.5355      -0.0600                     
19             INF         0.0225                     
20             INF         0.0675                     
21           14.3330       1.7134    1.48749    70.23 
22           -1.4362       0.3152    1.92286    18.90 
23           -2.7938       0.4052                     
24             INF         0.3002    1.52287    59.89 
25             INF         1.3696                     
26             INF         0.0225                     
27             INF         0.7504    1.51633    64.14 
28             INF         0.0075    1.51000    63.00 
29             INF         0.4878    1.50600    60.00 
像面             INF                                    
Ｎｏ        ＷＦ            ＷＭ            ＷＮ
d0  ＷＤ   15.00000         2.50000         1.58000 
d10         0.07990         0.07990         0.07990 
d13         0.01999         0.15965         0.21836 
d16         1.65870         1.51904         1.46032 
ｆ          1.340           1.471           1.525 
２ω      136             111             103 
Ｆｎｏ      6.1             6.3             6.4 
Ｎｏ        ＷＮ            ＭＮ            ＴＮ
d0  ＷＤ    1.58000         1.58000         1.58000 
d10         0.07990         1.12790         1.52252 
d13         0.21836         0.11901         0.05762 
d16         1.46032         0.50059         0.18081 
ｆ          1.525           1.956           2.069 
２ω      103              62              53 
Ｆｎｏ      6.4             7.6             8.1 
ＩＨ：1.32                                                    。
【０１０７】
実施例７
Ｎｏ              ｒ          ｄ        ｎd       ｖd 
物面             INF        可変                        
1             INF         0.2852    1.88300    40.78 
2            1.2030       0.4728                     
3             INF         0.0225                     
4             INF         0.0750                     
5             INF         0.2326    1.51400    75.00 
6             INF         0.8549                     
7           -5.3784       1.4735    1.51742    52.43 
8           -3.0051       0.0225                     
9            4.2923       0.6159    1.77250    49.60 
10           -2.4224       0.1724    1.92286    18.90 
11           -4.0625      可変                        
12（絞り）     INF         0.1000                     
13           -1.7601       0.2101    1.48749    70.23 
14            0.7295       0.2626    1.59270    35.31 
15            1.5143      可変                        
16            7.6234       0.4342    1.49700    81.54 
17           -6.6885       0.0292                     
18          316.6520       0.4015    1.61700    62.80 
19           -4.4302      可変                        
20             INF         0.0225                     
21             INF         0.0675                     
22            3.0885       1.2813    1.48749    70.23 
23           -2.3179       0.3152    1.92286    18.90 
24           -5.2265       0.4052                     
25             INF         0.3002    1.52287    59.89 
26             INF         3.1250                     
27             INF         0.0225                     
28             INF         0.7504    1.51633    64.14 
29             INF         0.0075    1.51000    63.00 
30             INF         0.4878    1.50600    60.00 
像面             INF                                    
Ｎｏ        ＷＦ            ＷＭ            ＷＮ
d0  ＷＤ   12.00000         6.00000         3.00000 
d11         0.06789         0.06789         0.06789 
d15         0.60929         0.68679         0.80266 
d19         0.78399         0.70649         0.59062 
ｆ          1.480           1.423           1.344 
２ω      125             132             149 
Ｆｎｏ      7.8             7.5             7.2 
Ｎｏ        ＷＮ            ＭＮ            ＴＮ
d0  ＷＤ    3.00000         3.00000         3.00000 
d11         0.06789         0.58785         1.32180 
d15         0.80266         0.60020         0.12000 
d19         0.59062         0.27314         0.02519 
ｆ          1.344           1.568           2.011 
２ω      149             105              67 
Ｆｎｏ      7.2             7.7             8.9 
ＩＨ：1.32                                                    。
【０１０８】
また、各実施例における条件式の値及び条件式要素の値は次の通りである。
【０１０９】
実施例    １      ２      ３      ４      ５      ６      ７
２ω     130     130     130     133     122     136     125
（１）   0.646   0.936   0.929   1.006  -0.230   1.077   0.847
（２）   0.041   0.046   0.047   0.308   0.260   0.148   0.131
（３）   1.096   0.768   1.424   0.184   0.885   0.319   0.634
（４）  -0.479  -0.416  -0.531   0.060  -0.182  -0.355  -0.136
ｆw      1.933   1.992   2.004   1.293   1.482   1.340   1.480
ｒa      1.594   1.690   1.607   1.380   1.608   1.918   1.203
ｒb     34.830 -12.899   9.192  -2.004 -26.400  -3.712  -5.378
Ｄ12w    0.040   0.040   0.040   0.636   0.398   0.080   0.068
Ｄ12t    1.289   1.904   1.901   1.936   0.058   1.523   1.322
ΔDwd    0.080   0.092   0.094   0.398   0.386   0.198   0.193
βwd    -2.087  -2.404  -1.885  16.641  -5.491  -2.817  -7.345
。
【０１１０】
なお、実施例５は条件式（１）を満たさない。ただし、主たる変倍作用を持つ第２−２群Ｇ２２が像側に移動しており、実質的には正の第１群と負の第２群の間隔は広角側から望遠側に向かって広がっている。（Ｄ12t −Ｄ12w ）を第２−２群Ｇ２２の移動量として計算すると１．８９であり、条件式（１）の値は，１．８９／ｆw ＝１．８９／１．４７８＝１．２８となり、本発明の思想を満足する。
【０１１１】
以上の本発明の内視鏡の対物レンズは、例えば次のように構成することができる。
【０１１２】
〔１〕  内視鏡の対物レンズであって、
広角端の画角（２ω）が１００°以上であり、
物体側から順に、正の第１群、負の第２群、正の第３群を有し、
第３群は、正の第３−１群と正の第３−２群からなり、
少なくとも第２群中のレンズ群が移動し、以下の（１）、（２）を行い、
（１）全系の焦点距離を変化する、
（２）焦点距離の変化に伴う像位置の移動を補正する、
第２群、第３群中の１つの群が作動距離（ＷＤ）が長い側から短い側に向かって像側に移動し、以下の（３）を行うことを特徴とする内視鏡の対物レンズ。
（３）作動距離の変化に伴う焦点位置の移動を補正する。
【０１１３】
〔２〕  第２群が明るさ絞りを有することを特徴とする上記１記載の内視鏡の対物レンズ。
【０１１４】
〔３〕  以下の条件を満足することを特徴とする上記１記載の内視鏡の対物レンズ。
【０１１５】
０．４＜（Ｄ12t −Ｄ12w ）／ｆw ＜１．４          ・・・（１）
０．０２＜ΔDwd ／ｆw ＜０．４                    ・・・（２）
０＜（ｒb ＋ｒa ）／（ｒb −ｒa ）＜２            ・・・（３）
−０．７＜１／βwd＜０．２                        ・・・（４）
ただし、
ｆw は広角端での全系の焦点距離であり、作動距離が遠方端での値である、
Ｄ12w は広角端での第１群と第２群の間隔、
Ｄ12t は望遠端での第１群と第２群の間隔、
ΔDwd は作動距離を遠方端から近傍端へ変化するときの移動群の移動量であり、像側へ移動する方向を＋符号とする，
ｒa は第１群の第１レンズの像側面の曲率半径、
ｒb は第１群の第２レンズの物体側面の曲率半径、
βwdは作動距離を変化するときの移動群の結像倍率であり、広角端かつ作動距離が遠方端での値、
である。
【０１１６】
〔４〕  内視鏡の対物レンズであって、
広角端の画角（２ω）が１００°以上であり、
物体側から順に、正の第１群、負の第２群、正の第３群を有し、
第２群が明るさ絞りを有し、
第３群は、正の第３−１群と正の第３−２群からなり、
少なくとも第２群中のレンズ群が移動し、以下の（１）、（２）を行い、
（１）全系の焦点距離を変化する、
（２）焦点距離の変化に伴う像位置の移動を補正する、
第２群、第３群中の１つの群が作動距離（ＷＤ）が長い側から短い側に向かって像側に移動し、以下の（３）を行うことを特徴とする内視鏡の対物レンズ。
（３）作動距離の変化に伴う焦点位置の移動を補正する、
さらに、以下の条件を満足することを特徴とする内視鏡の対物レンズ。
【０１１７】
０．４＜（Ｄ12t −Ｄ12w ）／ｆw ＜１．４          ・・・（１）
０．０２＜ΔDwd ／ｆw ＜０．４                    ・・・（２）
０＜（ｒb ＋ｒa ）／（ｒb −ｒa ）＜２            ・・・（３）
−０．７＜１／βwd＜０．２                        ・・・（４）
ただし、
ｆw は広角端での全系の焦点距離であり、作動距離が遠方端での値である、
Ｄ12w は広角端での第１群と第２群の間隔、
Ｄ12t は望遠端での第１群と第２群の間隔、
ΔDwd は作動距離を遠方端から近傍端へ変化するときの移動群の移動量であり、像側へ移動する方向を＋符号とする，
ｒa は第１群の第１レンズの像側面の曲率半径、
ｒb は第１群の第２レンズの物体側面の曲率半径、
βwdは作動距離を変化するときの移動群の結像倍率であり、広角端かつ作動距離が遠方端での値、
である。
【０１１８】
〔５〕  通常の遠方観察後、作動距離を長い側から短い側に変更し近傍での観察を行い、さらに作動距離を近傍に保ったまま全系の焦点距離を変化させ、より倍率の高い拡大観察を行うことができることを特徴とする上記１から４の何れか１項記載の内視鏡の対物レンズ。
【０１１９】
〔６〕  広角側から望遠側に向かって、第２群が像側に移動し、
第３−１群が焦点距離の変化に伴う像位置の移動を補正するように第２群とは異なる軌跡で移動し、
作動距離（ＷＤ）が長い側から短い側に向かって第３−１群が像側に移動することを特徴とする上記１から４の何れか１項記載の内視鏡の対物レンズ。
【０１２０】
〔７〕  第１群は、負の第１−１群と正の第１−２群からなり、
広角側から望遠側に向かって、第２群が像側に移動し、
第１−２群が焦点距離の変化に伴う像位置の移動を補正するように第２群とは異なる軌跡で移動し、
作動距離（ＷＤ）が長い側から短い側に向かって第３−１群が像側に移動することを特徴とする上記１から４の何れか１項記載の内視鏡の対物レンズ。
【０１２１】
〔８〕  第１群は、負の第１−１群と正の第１−２群からなり、
広角側から望遠側に向かって、第１−２群が物体側に移動し、第２群が像側に移動し、
第３−１群が焦点距離の変化に伴う像位置の移動を補正するように第１−２群、第２群とは異なる軌跡で移動し、
作動距離（ＷＤ）が長い側から短い側に向かって第３−１群が像側に移動することを特徴とする上記１から４の何れか１項記載の内視鏡の対物レンズ。
【０１２２】
〔９〕  第１群は、負の第１−１群と正の第１−２群からなり、
広角側から望遠側に向かって、第１−２群が物体側に移動し、
第２群が焦点距離の変化に伴う像位置の移動を補正するように第１−２群とは異なる軌跡で移動し、
作動距離（ＷＤ）が長い側から短い側に向かって第２群が像側に移動することを特徴とする上記１から４の何れか１項記載の内視鏡の対物レンズ。
【０１２３】
〔１０〕  第２群は、負の第２−１群と負の第２−２群からなり、
広角側から望遠側に向かって、第２−１群が物体側に移動し、第２−２群が像側に移動し、
第３群が焦点距離の変化に伴う像位置の移動を補正するように第２−１群、第２−２群とは異なる軌跡で移動し、
作動距離（ＷＤ）が長い側から短い側に向かって第２−２群が像側に移動することを特徴とする上記１、２又は４の何れか１項記載の内視鏡の対物レンズ。
【０１２４】
〔１１〕  第２群は、正の第２−１群と負の第２−２群からなり、
広角側から望遠側に向かって、第２−２群が像側に移動し、
第２−１群が焦点距離の変化に伴う像位置の移動を補正するように第２−２群とは異なる軌跡で移動し、
作動距離（ＷＤ）が長い側から短い側に向かって第２−２群が像側に移動することを特徴とする上記１から４の何れか１項記載の内視鏡の対物レンズ。
【産業上の利用可能性】
【０１２５】
本発明によれば、内視鏡に好適な対物レンズで、ズーム機能とフォーカス機能をそれぞれ独立して有する拡大観察のできる内視鏡の対物レンズを提供することができる。
【符号の説明】
【０１２６】
Ｇ１…第１群
Ｇ２…第２群
Ｇ３…第３群
Ｇ１１…第１−１群
Ｇ１２…第１−２群
Ｇ２１…第２−１群
Ｇ２２…第２−２群
Ｇ３１…第３−１群
Ｇ３２…第３−２群
Ｓ…開口絞り
Ｉ…像面
Ｐ…光学部材（レーザーカットフィルター、赤外カットフィルター、光学的ローパスフィルター等）
Ｃ…カバーガラス
Ｄ…ＣＣＤチップ封止ガラス
Ｆ…フレアー絞り
【図１】
2010137238.tif 000003
【図２】
2010137238.tif 000004
【図３】
2010137238.tif 000005
【図４】
2010137238.tif 000006
【図５】
2010137238.tif 000007
【図６】
2010137238.tif 000008
【図７】
2010137238.tif 000009
【図８】
2010137238.tif 000010
【図９】
2010137238.tif 000011
【図１０】
2010137238.tif 000012
【図１１】
2010137238.tif 000013
【図１２】
2010137238.tif 000014
【図１３】
2010137238.tif 000015
【図１４】
2010137238.tif 000016
【図１５】
2010137238.tif 000017
【図１６】
2010137238.tif 000018
【図１７】
2010137238.tif 000019
【図１８】
2010137238.tif 000020
【図１９】
2010137238.tif 000021
【図２０】
2010137238.tif 000022
【図２１】
2010137238.tif 000023
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
内視鏡の対物レンズであって、
広角端の画角（２ω）が１００°以上であり、
物体側から順に、正の第１群、負の第２群、正の第３群を有し、
第３群は、正の第３−１群と正の第３−２群からなり、
少なくとも第２群中のレンズ群が移動し、以下の（１）、（２）を行い、
（１）全系の焦点距離を変化する、
（２）焦点距離の変化に伴う像位置の移動を補正する、                            
第２群、第３群中の１つの群が作動距離（ＷＤ）が長い側から短い側に向かって像側に移動し、以下の（３）を行い、
（３）作動距離の変化に伴う焦点位置の移動を補正し、
以下の条件を満足することを特徴とする内視鏡の対物レンズ。
０．４＜（Ｄ12t −Ｄ12w ）／ｆw ＜１．４    ・・・（１）
０．０２＜ΔDwd ／ｆw ＜０．４              ・・・（２）
０＜（ｒb ＋ｒa ）／（ｒb −ｒa ）＜２      ・・・（３）
−０．７＜１／βwd＜０．２                  ・・・（４）
ただし、
ｆw は広角端での全系の焦点距離であり、作動距離が遠方端での値である、
Ｄ12w は広角端での第１群と第２群の間隔、
Ｄ12t は望遠端での第１群と第２群の間隔、
ΔDwd は作動距離を遠方端から近傍端へ変化するときの移動群の移動量であり、像側へ移動する方向を＋符号とする，
ｒa は第１群の第１レンズの像側面の曲率半径、
ｒb は第１群の第２レンズの物体側面の曲率半径、
βwdは作動距離を変化するときの移動群の結像倍率であり、広角端かつ作動距離が遠方端での値、
である。
【請求項２】
第２群が明るさ絞りを有することを特徴とする請求項１記載の内視鏡の対物レンズ。
【請求項３】
内視鏡の対物レンズであって、
広角端の画角（２ω）が１００°以上であり、
物体側から順に、正の第１群、負の第２群、正の第３群を有し、
第２群が明るさ絞りを有し、
第３群は、正の第３−１群と正の第３−２群からなり、
少なくとも第２群中のレンズ群が移動し、以下の（１）、（２）を行い、
（１）全系の焦点距離を変化する、
（２）焦点距離の変化に伴う像位置の移動を補正する、                            
第２群、第３群中の１つの群が作動距離（ＷＤ）が長い側から短い側に向かって像側に移動し、以下の（３）を行うことを特徴とする内視鏡の対物レンズ。
（３）作動距離の変化に伴う焦点位置の移動を補正する、
さらに、以下の条件を満足することを特徴とする内視鏡の対物レンズ。
０．４＜（Ｄ12t −Ｄ12w ）／ｆw ＜１．４    ・・・（１）
０．０２＜ΔDwd ／ｆw ＜０．４              ・・・（２）
０＜（ｒb ＋ｒa ）／（ｒb −ｒa ）＜２      ・・・（３）
−０．７＜１／βwd＜０．２                  ・・・（４）
ただし、
ｆw は広角端での全系の焦点距離であり、作動距離が遠方端での値である、
Ｄ12w は広角端での第１群と第２群の間隔、
Ｄ12t は望遠端での第１群と第２群の間隔、
ΔDwd は作動距離を遠方端から近傍端へ変化するときの移動群の移動量であり、像側へ移動する方向を＋符号とする，
ｒa は第１群の第１レンズの像側面の曲率半径、
ｒb は第１群の第２レンズの物体側面の曲率半径、
βwdは作動距離を変化するときの移動群の結像倍率であり、広角端かつ作動距離が遠方端での値、
である。
【請求項４】
通常の遠方観察後、作動距離を長い側から短い側に変更し近傍での観察を行い、さらに作動距離を近傍に保ったまま全系の焦点距離を変化させ、より倍率の高い拡大観察を行うことができることを特徴とする請求項１から３の何れか１項記載の内視鏡の対物レンズ。
【請求項５】
広角側から望遠側に向かって、第２群が像側に移動し、
第３−１群が焦点距離の変化に伴う像位置の移動を補正するように第２群とは異なる軌跡で移動し、
作動距離（ＷＤ）が長い側から短い側に向かって第３−１群が像側に移動することを特徴とする請求項１から３の何れか１項記載の内視鏡の対物レンズ。
【請求項６】
第１群は、負の第１−１群と正の第１−２群からなり、
広角側から望遠側に向かって、第２群が像側に移動し、
第１−２群が焦点距離の変化に伴う像位置の移動を補正するように第２群とは異なる軌跡で移動し、
作動距離（ＷＤ）が長い側から短い側に向かって第３−１群が像側に移動することを特徴とする請求項１から３の何れか１項記載の内視鏡の対物レンズ。
【請求項７】
第１群は、負の第１−１群と正の第１−２群からなり、
広角側から望遠側に向かって、第１−２群が物体側に移動し、第２群が像側に移動し、
第３−１群が焦点距離の変化に伴う像位置の移動を補正するように第１−２群、第２群とは異なる軌跡で移動し、
作動距離（ＷＤ）が長い側から短い側に向かって第３−１群が像側に移動することを特徴とする請求項１から３の何れか１項記載の内視鏡の対物レンズ。
【請求項８】
第１群は、負の第１−１群と正の第１−２群からなり、
広角側から望遠側に向かって、第１−２群が物体側に移動し、
第２群が焦点距離の変化に伴う像位置の移動を補正するように第１−２群とは異なる軌跡で移動し、
作動距離（ＷＤ）が長い側から短い側に向かって第２群が像側に移動することを特徴とする請求項１から３の何れか１項記載の内視鏡の対物レンズ。
【請求項９】
第２群は、負の第２−１群と負の第２−２群からなり、
広角側から望遠側に向かって、第２−１群が物体側に移動し、第２−２群が像側に移動し、
第３群が焦点距離の変化に伴う像位置の移動を補正するように第２−１群、第２−２群とは異なる軌跡で移動し、
作動距離（ＷＤ）が長い側から短い側に向かって第２−２群が像側に移動することを特徴とする請求項１、２又は３の何れか１項記載の内視鏡の対物レンズ。
【請求項１０】
第２群は、正の第２−１群と負の第２−２群からなり、
広角側から望遠側に向かって、第２−２群が像側に移動し、
第２−１群が焦点距離の変化に伴う像位置の移動を補正するように第２−２群とは異なる軌跡で移動し、
作動距離（ＷＤ）が長い側から短い側に向かって第２−２群が像側に移動することを特徴とする請求項１から３の何れか１項記載の内視鏡の対物レンズ。
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
内視鏡の対物レンズであって、
広角端の画角（２ω）が１００°以上であり、
物体側から順に、正の第１群、負の第２群、正の第３群を有し、
第３群は、正の第３−１群と正の第３−２群からなり、
少なくとも第２群中のレンズ群が移動し、以下の（１）、（２）を行い、
（１）全系の焦点距離を変化する、
（２）焦点距離の変化に伴う像位置の移動を補正する、                            
第２群、第３群中の１つの群が作動距離（ＷＤ）が長い側から短い側に向かって像側に移動し、以下の（３）を行い、
（３）作動距離の変化に伴う焦点位置の移動を補正し、
以下の条件を満足することを特徴とする内視鏡の対物レンズ。
０．４＜（Ｄ12t −Ｄ12w ）／ｆw ≦１．０７７・・・（１）’
０．０２＜ΔDwd ／ｆw ＜０．４              ・・・（２）
０＜（ｒb ＋ｒa ）／（ｒb −ｒa ）＜２      ・・・（３）
−０．７＜１／βwd＜０．２                  ・・・（４）
ただし、
ｆw は広角端での全系の焦点距離であり、作動距離が遠方端での値である、
Ｄ12w は広角端での第１群と第２群の間隔、
Ｄ12t は望遠端での第１群と第２群の間隔、
ΔDwd は作動距離を遠方端から近傍端へ変化するときの移動群の移動量であり、像側へ移動する方向を＋符号とする，
ｒa は第１群の第１レンズの像側面の曲率半径、
ｒb は第１群の第２レンズの物体側面の曲率半径、
βwdは作動距離を変化するときの移動群の結像倍率であり、広角端かつ作動距離が遠方端での値、
である。
【請求項２】
第２群が明るさ絞りを有することを特徴とする請求項１記載の内視鏡の対物レンズ。
【請求項３】
内視鏡の対物レンズであって、
広角端の画角（２ω）が１００°以上であり、
物体側から順に、正の第１群、負の第２群、正の第３群を有し、
第２群が明るさ絞りを有し、
第３群は、正の第３−１群と正の第３−２群からなり、
少なくとも第２群中のレンズ群が移動し、以下の（１）、（２）を行い、
（１）全系の焦点距離を変化する、
（２）焦点距離の変化に伴う像位置の移動を補正する、                            
第２群、第３群中の１つの群が作動距離（ＷＤ）が長い側から短い側に向かって像側に移動し、以下の（３）を行うことを特徴とする内視鏡の対物レンズ。
（３）作動距離の変化に伴う焦点位置の移動を補正する、
さらに、以下の条件を満足することを特徴とする内視鏡の対物レンズ。
０．４＜（Ｄ12t −Ｄ12w ）／ｆw ≦１．０７７・・・（１）’
０．０２＜ΔDwd ／ｆw ＜０．４              ・・・（２）
０＜（ｒb ＋ｒa ）／（ｒb −ｒa ）＜２      ・・・（３）
−０．７＜１／βwd＜０．２                  ・・・（４）
ただし、
ｆw は広角端での全系の焦点距離であり、作動距離が遠方端での値である、
Ｄ12w は広角端での第１群と第２群の間隔、
Ｄ12t は望遠端での第１群と第２群の間隔、
ΔDwd は作動距離を遠方端から近傍端へ変化するときの移動群の移動量であり、像側へ移動する方向を＋符号とする，
ｒa は第１群の第１レンズの像側面の曲率半径、
ｒb は第１群の第２レンズの物体側面の曲率半径、
βwdは作動距離を変化するときの移動群の結像倍率であり、広角端かつ作動距離が遠方端での値、
である。
【請求項４】
通常の遠方観察後、作動距離を長い側から短い側に変更し近傍での観察を行い、さらに作動距離を近傍に保ったまま全系の焦点距離を変化させ、より倍率の高い拡大観察を行うことができることを特徴とする請求項１から３の何れか１項記載の内視鏡の対物レンズ。
【請求項５】
広角側から望遠側に向かって、第２群が像側に移動し、
第３−１群が焦点距離の変化に伴う像位置の移動を補正するように第２群とは異なる軌跡で移動し、
作動距離（ＷＤ）が長い側から短い側に向かって第３−１群が像側に移動することを特徴とする請求項１から３の何れか１項記載の内視鏡の対物レンズ。
【請求項６】
第１群は、負の第１−１群と正の第１−２群からなり、
広角側から望遠側に向かって、第２群が像側に移動し、
第１−２群が焦点距離の変化に伴う像位置の移動を補正するように第２群とは異なる軌跡で移動し、
作動距離（ＷＤ）が長い側から短い側に向かって第３−１群が像側に移動することを特徴とする請求項１から３の何れか１項記載の内視鏡の対物レンズ。
【請求項７】
第１群は、負の第１−１群と正の第１−２群からなり、
広角側から望遠側に向かって、第１−２群が物体側に移動し、第２群が像側に移動し、
第３−１群が焦点距離の変化に伴う像位置の移動を補正するように第１−２群、第２群とは異なる軌跡で移動し、
作動距離（ＷＤ）が長い側から短い側に向かって第３−１群が像側に移動することを特徴とする請求項１から３の何れか１項記載の内視鏡の対物レンズ。
【請求項８】
第１群は、負の第１−１群と正の第１−２群からなり、
広角側から望遠側に向かって、第１−２群が物体側に移動し、
第２群が焦点距離の変化に伴う像位置の移動を補正するように第１−２群とは異なる軌跡で移動し、
作動距離（ＷＤ）が長い側から短い側に向かって第２群が像側に移動することを特徴とする請求項１から３の何れか１項記載の内視鏡の対物レンズ。
【請求項９】
第２群は、負の第２−１群と負の第２−２群からなり、
広角側から望遠側に向かって、第２−１群が物体側に移動し、第２−２群が像側に移動し、
第３群が焦点距離の変化に伴う像位置の移動を補正するように第２−１群、第２−２群とは異なる軌跡で移動し、
作動距離（ＷＤ）が長い側から短い側に向かって第２−２群が像側に移動することを特徴とする請求項１、２又は３の何れか１項記載の内視鏡の対物レンズ。
【請求項１０】
第２群は、正の第２−１群と負の第２−２群からなり、
広角側から望遠側に向かって、第２−２群が像側に移動し、
第２−１群が焦点距離の変化に伴う像位置の移動を補正するように第２−２群とは異なる軌跡で移動し、
作動距離（ＷＤ）が長い側から短い側に向かって第２−２群が像側に移動することを特徴とする請求項１から３の何れか１項記載の内視鏡の対物レンズ。
【国際調査報告】
2010137238.tif 000024
2010137238.tif 000025
2010137238.tif 000026
2010137238.tif 000027
2010137238.tif 000028